(57)【要約】【課題】従来から考えられていた薬の販売を支援する装置は、利用者が購入する薬を決定した後の販売を支援するものではなかった。このため、現状でも販売商品数の多いコンビニエンスストアー（以下、コンビニ）などにおいて、店員に負担を掛けずに薬の販売を行うための方法が求められていた。  【解決手段】前記課題については、薬名と格納場所と診療科目を格納する薬情報記憶手段と、診療科目を含む病院情報を格納する病院情報記憶手段と、受信した薬名に対応する前記薬情報記憶手段中の格納場所と診療科目を抽出し、抽出した前記診療科目に対応する前記病院情報記憶手段中の病院情報を抽出する手段と、前記格納場所と前記病院情報を所定の媒体に記録する手段を備えたことを特徴とする薬販売支援装置を提供することで解決される。【選択図】  図１ 
2005084845.tif 000002
【特許請求の範囲】
【請求項１】
薬名と格納場所と診療科目を格納する薬情報記憶手段と、
診療科目を含む病院情報を格納する病院情報記憶手段と、
受信した薬名に対応する前記薬情報記憶手段中の格納場所と診療科目を抽出し、抽出した前記診療科目に対応する前記病院情報記憶手段中の病院情報を抽出する手段と、
前記格納場所と前記病院情報を所定の媒体に記録する手段
を備えたことを特徴とする薬販売支援装置。
【請求項２】
前記格納場所は、バーコードで表わされたものであることを特徴とする請求項１記載の薬販売支援装置。
【請求項３】
受信した薬名に対応する薬名と格納場所と診療科目を格納する薬情報記憶手段中の格納場所と診療科目を抽出し、抽出した前記診療科目に対応する診療科目を含む病院情報を格納する病院情報記憶手段中の病院情報を抽出するステップと、
前記格納場所と前記病院情報を所定の媒体に記録するステップ
を備えたことを特徴とする薬販売支援方法。
【請求項４】
受信した薬名に対応する薬名と格納場所と診療科目を格納する薬情報記憶手段中の格納場所と診療科目を抽出し、抽出した前記診療科目に対応する診療科目を含む病院情報を格納する病院情報記憶手段中の病院情報を抽出するステップと、
前記格納場所と前記病院情報を所定の媒体に記録するステップ
をコンピュータに実行させるためのプログラム。
【請求項５】
受信した薬名に対応する薬名と格納場所と診療科目を格納する薬情報記憶手段中の格納場所と診療科目を抽出し、抽出した前記診療科目に対応する診療科目を含む病院情報を格納する病院情報記憶手段中の病院情報を抽出するステップと、
前記格納場所と前記病院情報を所定の媒体に記録するステップ
を実行させるためのプログラムを格納したコンピュータ読み取り可能な記録媒体。
【発明の詳細な説明】
【技術分野】
【０００１】
本発明は、薬の販売支援を行う装置に関するものである。
【背景技術】
【０００２】
従来から考えられていた薬の販売を支援する装置は、薬の成分、症状、剤形などの項目を表示し、利用者に前記項目を確認させることで安全性と有効性を満たした適切な薬を抽出する機能を提供することで薬の販売を支援するものだった。（例えば、特許文献１参照）
【特許文献１】特開平１０−３３４３２６
【発明の開示】
【発明が解決しようとする課題】
【０００３】
前記従来から考えられていた薬の販売を支援する装置は、利用者が購入する薬を決定した後の販売を支援するものではなかった。このため、現状でも販売商品数の多いコンビニエンスストアー（以下、コンビニ）などにおいて、店員に負担を掛けずに薬の販売を行うための方法が求められていた。また、コンビニでは通常の薬局のように薬剤師を置くことが難しいため、それを補うようなサービスが求められていた。
【課題を解決するための手段】
【０００４】
前記課題については、薬名と格納場所と診療科目を格納する薬情報記憶手段と、診療科目を含む病院情報を格納する病院情報記憶手段と、受信した薬名に対応する前記薬情報記憶手段中の格納場所と診療科目を抽出し、抽出した前記診療科目に対応する前記病院情報記憶手段中の病院情報を抽出する手段と、前記格納場所と前記病院情報を所定の媒体に記録する手段を備えたことを特徴とする薬販売支援装置を提供することで解決される。
【発明の効果】
【０００５】
コンビニにおいて、店員に負担を掛けず薬の販売を行うことができる。また、通常の薬局のように薬剤師を置くことの代わりに、購入薬に対応する診療科を持つ病院に関する情報を所定の媒体を通して、薬販売支援装置の利用者である顧客に提供することで顧客の満足度を高めることができると言う効果がある。
【発明を実施するための最良の形態】
【０００６】
以下に、本発明による薬販売支援装置の実施形態を図面により詳細に説明する。図１は本発明のシステム構成図である。同図において、薬販売支援装置１０１は、プロセッサとメモリを備えるコンピュータである。
【０００７】
また、薬販売支援装置１０１は、利用者からの入力情報に基づいて薬の販売支援を行う薬販売支援プログラム１０３を備える。
【０００８】
利用者からの入力情報に基づいて薬の販売支援を行う処理を、図１から図６を用いて説明する。
【０００９】
図２は薬販売支援プログラム１０３の動作を説明するフローチャート、図３は薬ＤＢ１０５の具体的な内容を開示したもの、図４は病院ＤＢの具体的な内容を開示したもの、図５は薬販売支援装置に備わっている画面の表示例、図６は薬販売支援装置を経由して得た情報を記録した媒体の例である。
【００１０】
ここで図２により、利用者からの入力情報に基づいて薬の販売支援を行う処理を行う薬販売支援プログラムの動作を説明する。
【００１１】
薬販売支援プログラム１０３は、Ｓ２０１で利用者から薬種別選択の要求を受信し、Ｓ２０３で選択された種別の薬の一覧を表示する。
【００１２】
次に、Ｓ２０５で前記薬の一覧から購入予定薬選択の要求を受信し、Ｓ２０７で購入予定薬の詳細な情報を薬販売支援装置に備わっている画面に表示する。
【００１３】
図５の５０１は、購入予定薬の詳細な情報を薬販売支援装置に備わっている画面に表示した例であり、利用者が入力した薬種別と購入予定薬である「かぜ薬」と「ルラ」と、前記購入予定薬に対応する「特徴」・「使用上の注意」・「適応症」・「用法・用量」・「成分と作用」・「保管及び取り扱い上の注意」が表示されたことを示すものである。
【００１４】
Ｓ２１１で利用者からの前記購入予定薬の購入要求を受信したかどうかの判定を行う。前記判定の結果、利用者からの前記購入予定薬の購入要求を受信していない場合、Ｓ２０７で購入予定薬の詳細な情報を薬販売支援装置に備わっている画面に再度、表示する。前記判定の結果、利用者からの前記購入予定薬の購入要求を受信した場合、Ｓ２１３で前記購入薬の格納場所を薬ＤＢ１０５から抽出する。
【００１５】
図３の３０１は、薬販売支援装置の管理者により予め登録された薬ＤＢ１０３の内容を開示したものであり、薬名・種別・格納場所・対応診療科・格納場所を示すバードードとして、「ルナ・かぜ薬・Ａ１・内科・４９１１１１１１」などの情報が格納されたことを示すものである。また、前記薬名で表わされる医薬品は、医療用医薬品、または一般用医薬品のいずれかものである。
【００１６】
Ｓ２１５で前記購入薬に対応する診療科を薬ＤＢ１０５から抽出し、Ｓ２１７で前記診療科を持つ病院情報を病院ＤＢ１０７から抽出する。
【００１７】
図４の４０１は、薬販売支援装置の管理者により予め登録された病院ＤＢ１０７の内容を開示したものであり、病院名・診療科目・住所・電話番号・ＵＲＬ・病院名を含む病院情報バーコードとして、「富士病院・内科・中原区上小田中１丁目・０４４７５４１０００・fuji-hospital.com・４９２２２２２２」などの情報が格納されたことを示すものである。
【００１８】
Ｓ２１９で前記購入薬に対応する格納場所に関する情報を所定の媒体に記録する。前記格納場所に関する情報は、格納場所、または格納場所を示すＪＡＮコード・ＩＴＦコード・標準物流コード・ＣＯＤＥ３９・ＮＷ−７・ＣＯＤＥ１２８・ＥＡＮ−１２８のいずれかの方式のバーコード情報などである。また、前記格納場所に関する情報を記録する所定の媒体は、薬販売支援装置で印刷出力可能な紙や、薬販売支援装置で記録可能な各種の記録メディアなどである。
【００１９】
Ｓ２２１で前記購入薬に対応する診療科を持つ病院に関する情報を所定の媒体に記録する。前記購入薬に対応する診療科を持つ病院に関する情報は、病院名、または診療科目・住所・電話番号・病院名を含むバーコードのいずれか一つ以上の項目を含むものである。また、前記購入薬に対応する診療科を持つ病院に関する情報を記録する所定の媒体は、薬販売支援装置で印刷出力可能な紙や、薬販売支援装置で記録可能な各種の記録メディアなどである。
【００２０】
図６の６０１は、薬販売支援装置を経由して、前記格納場所に関する情報、および前記購入薬に対応する診療科を持つ病院に関する情報を記録した紙の出力イメージであり、前記格納場所に関する情報として、薬格納場所「Ａ１」と納場所を示すバーコード（４９１１１１１１）、およびおよび前記購入薬に対応する診療科を持つ病院に関する情報として、病院名「富士病院（内科）」・ＵＲＬ「fuji-hospital.com」・病院名を含む病院情報バーコード（４９２２２２２２）・住所「中原区上小田中一丁目」・電話番号「０４４７５４１０００」が前記の紙に出力されたことを示すものである。
【００２１】
また、図６の６０１は前記格納場所に関する情報、および前記購入薬に対応する診療科を持つ病院に関する情報を同じ紙に記録した例だが、前記格納場所に関する情報と前記購入薬に対応する診療科を持つ病院に関する情報はそれぞれ別の紙に記録しても良いものである。
（付記１）（１）
薬名と格納場所と診療科目を格納する薬情報記憶手段と、
診療科目を含む病院情報を格納する病院情報記憶手段と、
受信した薬名に対応する前記薬情報記憶手段中の格納場所と診療科目を抽出し、抽出した前記診療科目に対応する前記病院情報記憶手段中の病院情報を抽出する手段と、
前記格納場所と前記病院情報を所定の媒体に記録する手段
を備えたことを特徴とする薬販売支援装置。
（付記２）
前記格納場所は、バーコードで表わされたものであることを特徴とする付記１記載の薬販売支援装置。
（付記３）
前記病院情報は、バーコードで表わされたものであることを特徴とする付記１記載の薬販売支援装置。
（付記４）
前記病院情報は、病院名、住所、電話番号、ＵＲＬのいずれかの項目を１つ以上含むものであることを特徴とする付記１記載の薬販売支援装置。
（付記５）
前記媒体は、紙であることを特徴とする付記１乃至付記５記載の薬販売支援装置。
（付記６）
前記媒体は、記録メディアであることを特徴とする付記１乃至付記５記載の薬販売支援装置。
（付記７）
前記薬名で表わされる医薬品は、医療用医薬品、または一般用医薬品のいずれか一方を含むものであることを特徴とする付記１記載の薬販売支援装置。
（付記８）
受信した薬名に対応する薬名と格納場所と診療科目を格納する薬情報記憶手段中の格納場所と診療科目を抽出し、抽出した前記診療科目に対応する診療科目を含む病院情報を格納する病院情報記憶手段中の病院情報を抽出するステップと、
前記格納場所と前記病院情報を所定の媒体に記録するステップ
を備えたことを特徴とする薬販売支援方法。
（付記９）
受信した薬名に対応する薬名と格納場所と診療科目を格納する薬情報記憶手段中の格納場所と診療科目を抽出し、抽出した前記診療科目に対応する診療科目を含む病院情報を格納する病院情報記憶手段中の病院情報を抽出するステップと、
前記格納場所と前記病院情報を所定の媒体に記録するステップ
をコンピュータに実行させるためのプログラム。
（付記１０）
受信した薬名に対応する薬名と格納場所と診療科目を格納する薬情報記憶手段中の格納場所と診療科目を抽出し、抽出した前記診療科目に対応する診療科目を含む病院情報を格納する病院情報記憶手段中の病院情報を抽出するステップと、
前記格納場所と前記病院情報を所定の媒体に記録するステップ
を実行させるためのプログラムを格納したコンピュータ読み取り可能な記録媒体。
【図面の簡単な説明】
【００２２】
【図１】本発明の実施例のシステム構成を説明する図。
【図２】本発明の実施例の薬販売支援プログラムを説明する図。
【図３】本発明の実施例の薬ＤＢ。
【図４】本発明の実施例の病院ＤＢ。
【図５】本発明の実施例の薬販売支援装置の画面例。
【図６】本発明の実施例の所定媒体出力例。
【符号の説明】
【００２３】
１０１  本発明の実施例の薬販売支援装置
１０３  本発明の実施例の薬販売支援プログラム
１０５  本発明の実施例の薬ＤＢ
１０７  本発明の実施例の病院ＤＢ
【図１】
2005084845.tif 000003
【図２】
2005084845.tif 000004
【図３】
2005084845.tif 000005
【図４】
2005084845.tif 000006
【図５】
2005084845.tif 000007
【図６】
2005084845.tif 000008